(57)【要約】【課題】本考案は、高さ調節の仕組みが簡単で、高さ調節部分にガタつきのないテーブルを提供することを課題とする。【解決手段】高さ調節のため、上下方向に所要の間隔をもって穿孔された複数の貫通孔１０を有する木製の脚部２と、対向して設けられた第１の孔１１及び第２の孔１２と、第２の孔の両側に設けられた貫通溝とを有するとともに脚部の一部を収納する袴状の足部３と、先端の内部にネジ穴を有し、第１の孔、貫通孔のうちのいずれか一つ及び第２の孔を貫通して配置された高さ調節用のピン４と、第２の孔に隣接して設けられ、ネジ穴に螺合する凸ネジと凸ネジを支持する台座からなるピン受部５と、ピン受部５を保持するとともに先端が貫通溝に嵌合するコの字状の弾性体６とを備えたテーブルである。【選択図】    図３
0003212853.tif 000002
【実用新案登録請求の範囲】
【請求項１】
上下方向に所要の間隔をもって穿孔された複数の貫通孔を有する脚部と、
対向して設けられた第１の孔及び第２の孔と、該第２の孔の両側に設けられた貫通溝とを有するとともに該脚部の一部を収納する袴状の足部と、
先端の内部にネジ穴を有し、第１の孔、該複数の貫通孔のうちのいずれか一つの貫通孔及び第２の孔を貫通して配置された高さ調節用のピンと、
該第２の孔に隣接して設けられ、該ネジ穴に螺合する凸ネジと該凸ネジを支持する台座からなるピン受部と、
該ピン受部を保持するとともに先端が該貫通溝に嵌合するコの字状の弾性体とを備えたテーブル。
【請求項２】
上記脚部は、折り畳みが可能であることを特徴とする請求項１に記載のテーブル。
【請求項３】
上記袴状の足部の第２の孔は、テーブルの外側に向くように設けられており、上記コの字状の弾性体の上面は、上記脚部が折り畳まれてテーブルが積層される際の当たり止めを構成していることを特徴とする請求項２に記載のテーブル。
【請求項４】
上記ピンの根元には、つまみが取り付けられていることを特徴とする請求項１ないし請求項３のいずれか１項に記載のテーブル。
【請求項５】
上記ピン受部の台座は、コの字状の弾性体に埋設されていることを特徴とする請求項１ないし請求項４のいずれか１項に記載のテーブル。
【請求項６】
上記ピン受部の台座には、回転止めの凸部が形成されていることを特徴とする請求項５に記載のテーブル。
【請求項７】
上記コの字状の弾性体の周囲には、上記袴状の足部と一体成形された脱落保護部が形成されていることを特徴とする請求項１ないし請求項６のいずれか１項に記載のテーブル。
【考案の詳細な説明】
【技術分野】
【０００１】
本考案は、簡単かつ確実に高さ調節ができるテーブルに関する。
【背景技術】
【０００２】
高さを変えられるテーブルについては、その高さ調節のため、穴と共動するピンを有するものがこれまで多数提案されている。
（例えば、特許文献１ないし特許文献３参照）
ところが従来のものは、高さ調節の仕組みが複雑でコスト高であったり、高さ調節部分にガタつきがあったりして、十分なものではなかった。
【先行技術文献】
【特許文献】
【０００３】
【特許文献１】特開平１１−４６８７５号公報
【特許文献２】特開２００２−２３８６６６号公報
【特許文献３】特開２００４−２２２９４２号公報
【考案の概要】
【考案が解決しようとする課題】
【０００４】
本考案は従来のテーブルの問題点を解決し、高さ調節の仕組みが簡単で、高さ調節部分にガタつきのないテーブルを提供することを課題とする。
【課題を解決するための手段】
【０００５】
本考案の上記課題を解決するための手段は、次のとおりである。
（１）上下方向に所要の間隔をもって穿孔された複数の貫通孔を有する脚部と、
対向して設けられた第１の孔及び第２の孔と、該第２の孔の両側に設けられた貫通溝とを有するとともに該脚部の一部を収納する袴状の足部と、
先端の内部にネジ穴を有し、第１の孔、該複数の貫通孔のうちのいずれか一つの貫通孔及び第２の孔を貫通して配置された高さ調節用のピンと、
該第２の孔に隣接して設けられ、該ネジ穴に螺合する凸ネジと該凸ネジを支持する台座からなるピン受部と、
該ピン受部を保持するとともに先端が該貫通溝に嵌合するコの字状の弾性体とを備えたテーブル。
（２）上記脚部は、折り畳みが可能であることを特徴とする（１）に記載のテーブル。
（３）上記袴状の足部の第２の孔は、テーブルの外側に向くように設けられており、上記コの字状の弾性体の上面は、上記脚部が折り畳まれてテーブルが積層される際の当たり止めを構成していることを特徴とする（２）に記載のテーブル。
（４）上記ピンの根元には、つまみが取り付けられていることを特徴とする（１）ないし（３）のいずれかに記載のテーブル。
（５）上記ピン受部の台座は、コの字状の弾性体に埋設されていることを特徴とする（１）ないし（４）のいずれかに記載のテーブル。
（６）上記ピン受部の台座には、回転止めの凸部が形成されていることを特徴とする（５）に記載のテーブル。
（７）上記コの字状の弾性体の周囲には、上記袴状の足部と一体成形された脱落保護部が形成されていることを特徴とする（１）ないし（６）のいずれかに記載のテーブル。
【考案の効果】
【０００６】
本考案に係るテーブルによれば、次のような効果が得られる。
（１）穴と共動するピンを採用しているため、高さ調節が容易である。
（２）ピンは台座に螺合しているため、使用中にピンが脱落することがない。
（３）ピン受部を保持するコの字状の弾性体は、ピン受部の凸ネジがピンにより締め付けられることにより、ピンの方向に引き寄せられる。このため貫通溝に嵌合するコの字状の弾性体の先端部は、木製の脚部を強く押圧することになり、脚部と袴状の足部とのガタ付きが防止される。
（４）上記コの字状の弾性体の上面が、テーブルの外側に向くように配置されているため、幼児等の体が弾性体に触れた場合でも安全である。さらに、折り畳み可能な脚部である場合は、上記脚部が折り畳まれてテーブルが積層される際の当たり止めの役割を果たしている。
（５）コの字状の弾性体の周囲には、袴状の足部と一体成形された脱落保護部が形成されているため、接触等によるコの字状の弾性体の脱落が防止される。
【図面の簡単な説明】
【０００７】
【図１】本考案に係るテーブルの実施形態の斜視図である。
【図２】本考案に係るテーブルの高さ調節方法を説明する図面である。
【図３】本考案に係るテーブルの脚部の一部が収納された袴状の足部を、ピンの中心を通る線で垂直に切断した断面図である。
【図４】本考案に係るテーブルの袴状の足部の図面である。（ａ）図は、袴状の足部の正面図であり、（ｂ）図は、その斜視図である。
【図５】本考案に係るテーブルの高さ調節に用いるピンの図面であり、（ａ）図はその断面図、（ｂ）図はその上面図である。
【図６】台座の図面であり、（ａ）図はその平面図、（ｂ）図はその断面図である。
【図７】コの字状の弾性体の図面であり、（ａ）図はその上面図、側面図及びＡ−Ａ断面図、（ｂ）図はその底面図及び底面斜視図である。
【考案を実施するための形態】
【０００８】
本考案に係るテーブルの実施形態を例示して、本考案について詳細に説明する。
なお、本考案に係る「テーブル」は、天板を有し高さ調節が可能な作業用机、学習机、幼児用机等を含む広義のテーブルを包含する。
また、天板の裏側に引出等を有するものも、本考案に係る「テーブル」に含まれる。
【０００９】
図１は、本考案に係るテーブルの実施形態の斜視図である。
この実施形態では、木製で折り畳みができる脚部２を有するとともに、脚部２の一部を収納し、テーブルの高さ調節を可能とする袴状の足部３を有している。袴状の足部３の底面には、滑り止め７が設けられている。
【００１０】
図１において、１７はコの字状の弾性体の上面を示している。
コの字状の弾性体は、弾性材料で構成されているため、幼児等の体がコの字状の弾性体の上面１７に触れた場合でも、これにより傷つくことはない。さらに、コの字状の弾性体の上面１７は、脚部２が袴状の足部３とともに折り畳まれてテーブルが積層される際の当たり止めの役割を果たしている。
また、図１において、１８は、ピンに取り付けられたつまみである。このつまみを回すことによってピンが回動し、脚部と袴状の足部の着脱が行われる。なお、つまみはピンと一体に成形されていてもよい。
【００１１】
図２は、本考案に係るテーブルの高さ調節方法を説明する図面である。
脚部２には高さ調節のため、上下方向に所要の間隔をもって複数の貫通孔が穿孔されている。この実施形態では、ピンを差し込むための貫通孔を変えることにより、３段階の高さ調節が可能である。
【００１２】
図３は、本考案に係るテーブルの脚部２の一部が収納された袴状の足部を、ピンの中心を通る線で垂直に切断した断面図である。
脚部２には、高さ調節のため、上下方向に所要の間隔をもって複数の貫通孔１０が穿孔されている。
また、袴状の足部３には、第１の孔１１及び第２の孔１２が対向して設けられている。
【００１３】
また、第２の孔の両側には、貫通溝が設けられており、ピン受部を保持するコの字状の弾性体６の端部は、貫通溝に嵌合している。
高さ調節用のピン４は、先端の内部にネジ穴を有し、第１の孔１１、この実施形態では最上部の貫通孔及び第２の孔１２を貫通して配置されている。
ピン受部の凸ネジがネジ穴に螺合することにより、ピン受部を保持するコの字状の弾性体６が装着される。
コの字状の弾性体６の周囲には、袴状の足部３と一体成形された脱落保護部２０が形成されており、これにより接触等によるコの字状の弾性体の脱落が防止される。
【００１４】
図４は、本考案に係るテーブルの袴状の足部３の図面である。
（ａ）図は、袴状の足部の正面図であり、１２は第２の孔であり、１３はその両側に設けられた貫通溝である。また、（ｂ）図は、その斜視図であり、コの字状の弾性体６の先端は、貫通溝１３に挿入される。
【００１５】
図５は、テーブルの高さ調節に用いるピン４の断面図及びその上面図である。
ピン４の先端の内側には、（ａ）図からも分かるように、ピン受部の台座に設けられた凸ネジと螺合するネジ穴１４が設けられている。
また、ピン４の根本には、（ａ）図からも分かるように、つまみ１８が取り付けられている。つまみ１８には、（ｂ）図からも分かるように、対向する切欠が設けられているため、この切欠に指を掛けることにより、小さな力で十分なピンの締め付け強度を得ることができる。
【００１６】
図６の（ａ）図は台座の平面図、（ｂ）図はその断面図である。
図６において、それぞれ、５は、ピン受部、１５は、ネジ穴と螺合する凸ネジ、１６は台座であり、金属材料で構成されている。この実施形態では、台座の凸ネジを挟んだ対向位置にそれぞれ回転止めの凸部１９が設けられている。
【００１７】
図７の（ａ）図は、コの字状の弾性体６の上面図、その側面図及びＡ−Ａ断面図である。また、（ｂ）図はその底面図及び底面斜視図である。
コの字状の弾性体６は、ゴム等の弾性材料で構成されている。コの字状の弾性体６には、ピン受部の台座を保持するために、台座を固定する側溝２１及び台座に埋設する凹部２２が形成されている。
【００１８】
ピン受部を保持するコの字状の弾性体は、ピン受部の台座の凸ネジがネジ穴と螺合しピンによって締め付けられることにより、ピンの方向に引き寄せられる。このため貫通溝に嵌合するコの字状の弾性体の端部は、木製の脚部を強く押圧することで、脚部と袴状の足部とのガタ付きが防止される。
【００１９】
以上、本考案に係る高さ調節可能なテーブルについて好適な実施形態を例示して説明したが、この実施形態は、本考案の技術的範囲を限定するものではなく、実用新案登録請求の範囲に記載された本考案の要旨を逸脱しない範囲内で各種の変更や修正を加えることができることは、言うまでもないことである。
【符号の説明】
【００２０】
１  テーブル
２  脚部
３  袴状の足部
４  ピン
５  ピン受部
６  コの字状の弾性体
７  滑り止め
１０  貫通孔
１１  第１の孔
１２  第２の孔
１３  貫通溝
１４  ネジ穴
１５  凸ネジ
１６  台座
１７  コの字状の弾性体の上面
１８  つまみ
１９  回転止めの凸部
２０  脱落保護部
２１  側溝
２２  凹部
【図１】
0003212853.tif 000003
【図２】
0003212853.tif 000004
【図３】
0003212853.tif 000005
【図４】
0003212853.tif 000006
【図５】
0003212853.tif 000007
【図６】
0003212853.tif 000008
【図７】
0003212853.tif 000009